【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
光入力ポート及び光出力ポートを有する受信装置であって、
アンテナで受信した無線信号を電気信号に変換し、前記電気信号で変調した光信号を出力する無線受信手段と、
前記光入力ポートで受信した光信号のレベルを検出する検出手段と、
前記光入力ポートで受信した光信号及び前記無線受信手段が出力する光信号から１つを選択し、選択した光信号を前記光出力ポートに向けて出力する選択手段と、
前記アンテナ経由で無線制御信号を送受信する制御手段と、
オン状態で前記制御手段に電力供給し、オフ状態で前記制御手段に電力供給しない継電手段と、
を備えており、
前記継電手段が前記オフ状態であるときには前記無線受信手段には電力が供給されず、
前記検出手段は、前記光入力ポートで受信した光信号のレベルが閾値より大きい状態から前記閾値以下になると、前記継電手段を前記オン状態にすることを特徴とする受信装置。
【請求項２】
前記制御手段は、電力供給されると、対向する装置に第１制御信号を１回以上送信し、前記第１制御信号の応答を前記対向する装置から受信しない場合、前記対向する装置に第２制御信号を送信し、前記無線受信手段に電力が供給される様に制御し、かつ、前記選択手段が前記光出力ポートに向けて出力する光信号が、前記無線受信手段が出力する光信号となるように制御することを特徴とする請求項１に記載の受信装置。
【請求項３】
前記継電手段は前記オン状態で前記無線受信手段に電力供給することを特徴とする請求項１に記載の受信装置。
【請求項４】
前記制御手段は、電力供給されると、対向する装置に第１制御信号を１回以上送信し、前記第１制御信号の応答を前記対向する装置から受信しない場合、前記対向する装置に第２制御信号を送信し、前記選択手段が前記光出力ポートに向けて出力する光信号が、前記無線受信手段が出力する光信号となるように制御することを特徴とする請求項３に記載の受信装置。
【請求項５】
前記第２制御信号は、前記制御手段と通信する前記対向する装置の通信機能に電力を供給するための信号であることを特徴とする請求項２又は４に記載の受信装置。
【請求項６】
前記検出手段は、前記光入力ポートで受信した光信号のレベルが前記閾値より大きい状態では、前記継電手段を前記オフ状態にすることを特徴とする請求項１から５のいずれか１項に記載の受信装置。
【請求項７】
光入力ポート及び光出力ポートを有する送信装置であって、
光信号を電気信号に変換し、前記電気信号を無線信号に変換してアンテナ経由で送信する無線送信手段と、
前記光入力ポートで受信した光信号のレベルを検出する検出手段と、
前記無線送信手段及び前記光出力ポートを含む出力先から１つを選択し、選択した出力先に向けて前記光入力ポートで受信した光信号を出力する選択手段と、
前記アンテナ経由で無線制御信号を送受信する制御手段と、
オン状態で前記制御手段に電力供給し、オフ状態で前記制御手段に電力供給しない継電手段と、
を備えており、
前記継電手段が前記オフ状態であるときには前記無線送信手段には電力が供給されず、
前記検出手段は、前記光入力ポートで受信した光信号のレベルが閾値より大きい状態から前記閾値以下になると、前記継電手段を前記オン状態にすることを特徴とする送信装置。
【請求項８】
前記継電手段は、前記アンテナ経由で受信する所定の制御信号により前記オン状態になるように構成されていることを特徴とする請求項７に記載の送信装置。
【請求項９】
前記制御手段は、対向する装置と前記無線制御信号により通信した結果に応じて、前記無線送信手段に電力が供給される様に制御し、前記光入力ポートで受信した光信号を前記無線送信手段に向けて出力する様に前記選択手段を制御することを特徴とする請求項７に記載の送信装置。
【請求項１０】
前記継電手段は前記オン状態で前記無線送信手段に電力供給することを特徴とする請求項７又は８に記載の送信装置。
【請求項１１】
前記制御手段は、対向する装置と前記無線制御信号により通信した結果に応じて、前記光入力ポートで受信した光信号を前記無線送信手段に向けて出力する様に前記選択手段を制御することを特徴とする請求項１０に記載の送信装置。
【請求項１２】
前記検出手段は、前記光入力ポートで受信した光信号のレベルが前記閾値より大きい状態では、前記継電手段を前記オフ状態にすることを特徴とする請求項７から１１のいずれか１項に記載の送信装置。
【請求項１３】
第１ファイバから光信号を入力し、第２ファイバから光信号を出力する送信装置と、前記第２ファイバから光信号を入力し、第３ファイバから光信号を出力する受信装置と、を含む通信システムであって、
前記送信装置は、
前記第１ファイバから受信した光信号を無線信号に変換して前記受信装置に送信する無線送信手段と、
前記受信装置と無線制御信号を送受信する第１制御手段と、を備え、
前記第１ファイバから受信した光信号のレベルが閾値より大きい状態では、前記第１ファイバから受信した光信号を前記第２ファイバに出力し、前記第１ファイバから受信した光信号のレベルが前記閾値より大きい状態から前記閾値以下になると、前記第１制御手段に電力を供給し、
前記受信装置は、
前記送信装置から受信する無線信号を光信号に変換して前記第３ファイバに出力する無線受信手段と、
前記送信装置と無線制御信号を送受信する第２制御手段と、
前記第２ファイバから受信した光信号のレベルが閾値より大きい状態では、前記第２ファイバから受信した光信号を前記第３ファイバに出力し、前記第２ファイバから受信した光信号のレベルが前記閾値より大きい状態から前記閾値以下になると、前記第２制御手段に電力を供給し、
前記第１制御手段に電力が供給されていない間、前記無線送信手段には電力が供給されず、
前記第２制御手段に電力が供給されていない間、前記無線受信手段には電力が供給されないことを特徴とする通信システム。
【手続補正２】
【補正対象書類名】明細書
【補正対象項目名】０００８
【補正方法】変更
【補正の内容】
【０００８】
本発明の一側面によると、受信装置は、光入力ポート及び光出力ポートを有する受信装置であって、アンテナで受信した無線信号を電気信号に変換し、前記電気信号で変調した光信号を出力する無線受信手段と、前記光入力ポートで受信した光信号のレベルを検出する検出手段と、前記光入力ポートで受信した光信号及び前記無線受信手段が出力する光信号から１つを選択し、選択した光信号を前記光出力ポートに向けて出力する選択手段と、前記アンテナ経由で無線制御信号を送受信する制御手段と、オン状態で前記制御手段に電力供給し、オフ状態で前記制御手段に電力供給しない継電手段と、を備えており、前記継電手段が前記オフ状態であるときには前記無線受信手段には電力が供給されず、前記検出手段は、前記光入力ポートで受信した光信号のレベルが閾値より大きい状態から前記閾値以下になると、前記継電手段を前記オン状態にすることを特徴とする。
【手続補正３】
【補正対象書類名】明細書
【補正対象項目名】０００９
【補正方法】変更
【補正の内容】
【０００９】
本発明の一側面によると、送信装置は、光入力ポート及び光出力ポートを有する送信装置であって、光信号を電気信号に変換し、前記電気信号を無線信号に変換してアンテナ経由で送信する無線送信手段と、前記光入力ポートで受信した光信号のレベルを検出する検出手段と、前記無線送信手段及び前記光出力ポートを含む出力先から１つを選択し、選択した出力先に向けて前記光入力ポートで受信した光信号を出力する選択手段と、前記アンテナ経由で無線制御信号を送受信する制御手段と、オン状態で前記制御手段に電力供給し、オフ状態で前記制御手段に電力供給しない継電手段と、を備えており、前記継電手段が前記オフ状態であるときには前記無線送信手段には電力が供給されず、前記検出手段は、前記光入力ポートで受信した光信号のレベルが閾値より大きい状態から前記閾値以下になると、前記継電手段を前記オン状態にすることを特徴とする。